(57)【要約】      （修正有）【課題】単一回転軸とすることで内部構成が簡単になる、広告用バナーロール装置と広告用ラックを提供する。【解決手段】広告用バナーロール装置は、アウタケーシングパイプ１と、シーリングカバー２１、２２と、ロール３と、広告バナー４と、回転軸６と、スプリング７と、プラグ５とを備える。アウタケーシングパイプは開口を有し、シーリングカバー２１、２２はアウタケーシングパイプの両端に塞がれ、ロールはアウタケーシングパイプの中に収納され、広告バナーロールの一端は着脱可能に配置されロールに巻かれ、プラグはロールの一端に固定され貫通孔を備える。回転軸はロール中に位置しその両端がそれぞれシーリングカバーに固定され、スプリングは回転軸にはめ込まれその一端がプラグに、他の一端が回転軸に固定されている。広告用展示ラックは、ラックを備え、該ラックには上記の広告用バナーロール装置が配置される。【選択図】図１
0003171328.tif 000002
【実用新案登録請求の範囲】
【請求項１】
長手方向に沿って延伸する開口（11）が設けられ、第１端に着脱可能な第１のシーリングカバー（21）が設けられ、第2端に着脱可能な第2のシーリングカバー（22）が設けられるアウタケーシングパイプ（1）と、
前記アウタケーシングパイプ（1）に収納されるロール（3）と、
前記ロール（3）に巻かれ、第1端が前記ロール（3）に着脱可能に設けられ、第2端が前記開口（11）から引出される広告バナー（4）と、
記述ロール（3）の第１端に固定され、貫通穴（51）が設けられるプラグ（5）と、
前記ロール（3）の内部に位置し、第1端が前記貫通穴（51）から伸出し、前記第1のシーリングカバー（21）に固定され、その第2端が前記ロール（3）から伸出し、前記第2のシーリングカバー（22）に固定される回転軸（6）と、
前記回転軸（6）に嵌め込まれ、第１端が前記プラグ（5）に配置され、第2端が前記回転軸（6）に配置されるスプリング（7）と、
を備えることを特徴とする広告用バナーロール装置。
【請求項２】
前記広告バナー（4）の第１端にクリップテープ（41）が設けられ、前記クリップテープ（41）は前記広告バナー（４）を挟持し、
前記ロール（3）の外壁には、ロール（3）の長手方向に沿って延伸するクリップスリット（31）が設けられ、前記クリップテープ（41）が前記クリップスリット（31）の中に挿入される、
ことを特徴とする請求項1に記載の広告用バナーロール装置。
【請求項３】
前記回転軸（6）の第2端には、回転軸（6）の径方向に前記回転軸（6）の第2端を亘るスリット（61）が設けられ、前記スプリング（7）の第2端にはスプリング（7）のワイヤーを曲げてなる湾曲部（71）が形成され、前記湾曲部（71）が前記スリット（61）の中に係止られる、
ことを特徴とする請求項1に記載の広告用バナーロール装置。
【請求項４】
前記プラグ（5）は、円柱形の基部（50）と、前記基部（50）から伸びる円錐形又は円柱形のスプリング固定部（52）とを備え、前記スプリング（7）の第1端は、前記スプリング固定部（52）に締め付けられる、
ことを特徴とする請求項1に記載の広告用バナーロール装置。
【請求項５】
前記スプリング固定部（52）の外周には、螺旋状のスリットが設けられ、前記スプリング（7）の第1端は前記螺旋状のスリットに係止される、
ことを特徴とする請求項4に記載の広告用バナーロール装置。
【請求項６】
前記基部（50）と前記ロール（3）とは、締まりばめであり、前記基部（50）の外周に、複数の滑り止めリブ（53）が設けられる、
ことを特徴とする請求項4に記載の広告用バナーロール装置。
【請求項７】
ラック（8）を備え、前記ラック（8）には、請求項1〜6のいずれかに記載の広告用バナーロール装置が取付けられる、
ことを特徴とする広告用ラック。
【請求項８】
前記ラック（8）には、前記広告用バナーロール装置を挟むクリップ（9）が配置され、前記広告用バナーロール装置のアウタケーシングパイプ（1）は、前記クリップ（9）によって挟持される、
ことを特徴とする請求項7に記載の広告用ラック。
【請求項９】
前記ラック（8）は、少なくとも一本の鉛直バー（81）と、前記鉛直バー（81）に嵌め込まれるクリップ付け固定スリーブ（82）とを備え、
前記クリップ付け固定スリーブ（82）には、一つのスクリューホール（821）が設けられ、前記スクリューホール（821）の中には固定用ネジ（83）が配置され、前記固定用ネジ（83）により前記クリップ付け固定スリーブ（82）が前記鉛直バー（81）に固定され、
前記クリップ付け固定スリーブ（82）の外側に前記クリップ（9）が二つ固定され、二つの前記クリップ（9）はそれぞれ、前記クリップ付け固定スリーブ（82）の両側に位置し、一つの前記広告用バナーロール装置を挟み、前記広告用バナーロール装置の軸線は、前記鉛直バー（81）の軸線とは垂直又は平行している、
ことを特徴とする請求項8に記載の広告用ラック。
【請求項１０】
前記ラック（8）は、一本の鉛直バー（81）と、一本の傾斜バー（85）と、前記傾斜バー（85）を前記鉛直バー（81）に固定する傾斜バー固定付属部品（86）とを備え、
前記傾斜バー固定付属部品（86）は、一本の鉛直スリーブ（861）と一本の傾斜スリーブ（862）を備え、前記鉛直スリーブ（861）の軸線と前記傾斜スリーブ（862）の軸線は、一定の夾角に配置され、前記鉛直スリーブ（861）の外側には一つの係止スロット（863）が形成され、前記傾斜スリーブ（862）はコネクティングピース（864）を有し、前記コネクティングピース（864）の末端には前記係止スロット（863）に合う係合部（865）が設けられ、前記鉛直スリーブ（861）は前記鉛直バー（81）に固定され、前記傾斜スリーブ（862）は前記傾斜バー（85）に固定され、前記傾斜バー（85）には前記クリップ（9）が固定されている、
ことを特徴とする請求項8に記載の広告用ラック。
【請求項１１】
前記クリップ（9）は、二つの対向している挟持部（91）を有し、前記挟持部（91）の断面は円弧形であり、前記アウタケーシングパイプ（1）は二つの挟持部（91）の間に挟持される、
ことを特徴とする請求項8に記載の広告用ラック。
【考案の詳細な説明】
【技術分野】
【０００１】
本考案は展覧展示用の器材に関し、具体的には、広告用バナーロール装置及び広告展示用ラックに関する。
【背景技術】
【０００２】
広告用バナーロール装置は、ロールアップバナーとも称され、携帯に便利な展示器材の一種である。場所を取らず、携帯や展示に便利という利点があるので、広く使用されている。
【０００３】
現在の広告用バナーロール装置は、一般的には、ロール、マンドレル、捩じれバネなどから構成され、広告バナーがロールに巻かれている。そのマンドレルの構成は複雑で、一般的には、ロールの第一端に設けられロールと一緒に回転する動軸と、ロールの第二端に設けられロールと一緒に回転しない固定軸を有している。ロールは固定軸を回転でき、捩じれバネの一端は固定軸に固定され、ほかの一端はロールに固定されている。ロールは固定軸に対して回転する時に、捩じれバネがねじられて変形する。広告用バナーロール装置を使う時に、広告バナーを引き出し広げていくと、捩じれバネがねじられて変形して、ロールに巻き返すトルクを発生させることで、広告バナーがきつく張られたり、広告バナーを緩めると、ロールが該トルク回転により広告バナーをロールに巻き返させる。このような構成の広告用バナーロール装置のマンドレルの構造は比較的に複雑で、部品も多く、組み立てに不便な上に、広告バナーの入れ替えに面倒で繰り返しで使用することが困難である。又、現在の広告展示ラックは、展示バナーの背面が空白で、片面だけ使うので、見た目にも悪く、展示面のスペースがむだにもなる。
【考案の概要】
【考案が解決しようとする課題】
【０００４】
本考案は解決しようとする課題は、従来の技術における広告用バナーロール装置の上述した内部構成の複雑で、組み立てが煩雑である課題に対して、該広告用バナーロール装置の内部構成も簡単で組み立ても簡単である広告用バナーロール装置を提供することにあり、又、該広告バナーロールを有する広告展示ラックも提供することにある。
【課題を解決するための手段】
【０００５】
本考案の一つの目的は、広告用バナーロール装置を提供することにある。
【０００６】
本考案1に関わる広告用バナーロール装置は、その長手方向に沿い伸びる開口が設けられ、その第1端に着脱可能な第１のシーリングカバーが設けられ、その第2端に着脱可能な第2のシーリングカバーが設けられるアウタケーシングパイプと、前記アウタケーシングパイプに収納されるロールと、前記ロールに巻かれ、その第1端が前記ロールに着脱可能に設けられ、その第2端が前記開口から引出される広告バナーと、記述ロールの第１端に固定され、貫通穴が設けられるプラグと、前記ロールの内部に位置し、その第1端が前記貫通穴から伸び出して、前記第2のシーリングカバーに固定され、その第2端が前記ロールから伸び出して、前記第2のシーリングカバーに固定される回転軸と、前記回転軸に嵌め込まれ、その第１端が前記プラグに配置され、その第2端が前記回転軸に配置されるスプリングとを備える。
【０００７】
本考案2に関わる広告用バナーロール装置は、前記広告バナーの第１端にクリップテープが設けられ、前記クリップテープは、前記広告バナーに挟まれ、前記ロールの外壁には、ロールの長手方向に沿い形成されたクリップスリットが設けられ、前記クリップテープが前記クリップスリットの中に挿入される。
【０００８】
本考案3に関わる広告用バナーロール装置は、前記回転軸の第2端には、回転軸のラジアルに前記回転軸の第2端を亘るスリットが設けられ、前記スプリングの第2端にはスプリングのワイヤーを曲げてなる湾曲部が形成され、前記湾曲部が前記スリットの中に係止られる。
【０００９】
本考案4に関わる広告用バナーロール装置は、前記プラグは、円柱形の基部と、前記基部から伸びる円錐形又は円柱形のスプリング固定部を備え、前記スプリングの第1端は、前記スプリング固定部に緊密に締め付けられる。
【００１０】
本考案5に関わる広告用バナーロール装置は、前記スプリング固定部の外周には、螺旋状のスリットが設けられ、前記スプリングの第1端は前記螺旋状のスリットに係止られる。
【００１１】
本考案6に関わる広告用ラックは、前記基部と前記ロールとは、締まりばめであり、前記基部の外周に、複数の滑り止めリブが設けられる。
【００１２】
本考案7に関わる広告用ラックは、ラックを備え、前記ラックには、請求項1〜6のいずれかに記載の広告用バナーロール装置が取付けられる。
【００１３】
本考案8に関わる広告用ラックは、前記ラックには、前記広告用バナーロール装置を挟むクリップが配置され、前記広告用バナーロール装置のアウタケーシングパイプは、前記クリップによって挟持される。
【００１４】
本考案9に関わる広告用ラックは、前記ラックは、少なくとも一本の鉛直バーと、前記鉛直バーに嵌め込まれるクリップ付け固定スリーブを備え、前記クリップ付け固定スリーブには、一つのスクリューホールが設けられ、前記スクリューホールの中には固定用ネジが配置され、前記固定用ネジにより前記クリップ付け固定スリーブが前記鉛直バーに固定され、前記クリップ付け固定スリーブの外側に前記クリップが二つ固定され、二つの前記クリップはそれぞれ、前記クリップ付け固定スリーブの両側に位置し、一つの前記広告用バナーロール装置を挟み、前記広告用バナーロール装置の軸線は、前記鉛直バーの軸線とは垂直又は平行している。
【００１５】
本考案10に関わる広告用ラックは、前記ラックは、一本の鉛直バーと、一本の傾斜バーと、前記傾斜バーを前記鉛直バーに固定する傾斜バー固定付属部品とを備え、前記傾斜バー固定付属部品は、一本の鉛直スリーブと一本の傾斜スリーブを備え、前記鉛直スリーブの軸線と前記傾斜スリーブの軸線は、一定の夾角に配置され、前記鉛直スリーブの外側には一つの係止スリットが形成され、前記傾斜スリーブはコネクティングピースを有し、前記コネクティングピースの末端には前記係止スリットに接合する係止め部が設けられ、前記鉛直スリーブは前記鉛直バーに固定され、前記傾斜スリーブは前記傾斜バーに固定され、前記傾斜バーには前記クリップが固定されている。
【００１６】
本考案11に関わる広告用ラックは、前記クリップは、二つの対向している挟持部を有し、前記挟持部の断面は円弧形であり、前記アウタケーシングパイプは二つの挟持部の間に挟持される。
【考案の効果】
【００１７】
本考案の広告用バナーロール装置及び広告展示ラックを実施することによれば、本考案の広告用バナーロール装置において、ロールの中には単一の回転軸が設けられることで、ロール内部の構成は簡単で、組み立てに便利である上、広告バナーは、ロールに着脱可能に取付けられたため、気楽に入れ替えることができるという有益な効果がある。
【００１８】
以下は、付図及び実施例を用いて、本考案を更に説明する。
【図面の簡単な説明】
【００１９】
【図１】本考案における広告用バナーロール装置に関する実施例の概略図である。
【図２】本考案における広告用バナーロール装置に関する実施例の概略図である。
【図３】本考案における広告用バナーロール装置に関する実施例の回転軸、プラグ、スプリングを組み立てた図である。
【図４】本考案における広告用バナーロール装置に関する実施例の回転軸、プラグ、スプリングの分解概略図である。
【図５】本考案における広告用バナーロール装置に関する実施例のロールと広告バナーの結合関係説明図である。
【図６】本考案における広告展示用ラックに関する第一実施例の概略図である。
【図７】本考案の広告展示用ラックに関する第一実施例でのクリップの概略図である。
【図８】図７のAの一部分の拡大図である。
【図９】本考案における広告展示用ラックに関する第二実施例の概略図である。
【図１０】図９のBの一部分の拡大図である。
【図１１】本考案における広告展示用ラックに関する第三実施例の概略図である。
【図１２】本考案における広告展示用ラックに関する第三実施例での斜め棒の固定付属部品の説明図である。
【考案を実施するための形態】
【００２０】
本考案の技術特徴、目的、効果をはっきりとご理解させるように、図を用いて、本考案の具体的な実施形態について詳細に説明する。
【００２１】
図1と図2で示すのは、本考案の広告用バナーロール装置の実施例である。該実施例の広告用バナーロール装置において、アウタケーシングパイプ1、二つのシーリングカバー、ロール3、広告バナー4、プラグ5、回転軸6、スプリング7を備えている。二つのシーリングカバーは、第１のシーリングカバー21と第2のシーリングカバー22を備えている。
【００２２】
本実施例において、アウタケーシングパイプ1には、アウタケーシングパイプ１の長手方向に沿って伸びている開口11が設けられ、開口11の長さはアウタケーシングパイプ1の長さより短くしてもよく、アウタケーシングパイプ１の長さに等しくてもよく、広告バナーの取り付けと入れ替えを簡単にするように、アウタケーシングパイプ1の長さに等しくすることが好ましい。第1シーリングカバー21がアウタケーシングパイプ1の第1端に、第2シーリングカバー22がアウタケーシングパイプの第2端に、それぞれ着脱可能に設けられる。シーリングカバー21、22とアウタケーシングパイプ1の各端部の結合については、係止め又は、スクリューでの接合など一般的な着脱可能な接合方式を採用できる。
【００２３】
本実施例において、ロール3は、アウタケーシングパイプ1に収納され、広告バナー4は、前記ロール3に巻かれる。広告バナー4の交換を便利にするように、広告バナー4の第１端がロ−ル3に着脱可能に設けられ、広告バナー4の第2端が、アウタケーシングパイプ1の開口11から引かれる。図5で示すように、具体的には、本実施例において、広告バナー4の第1端には絵の幕のクリップテープ41が設けられ、クリップテープ41が広告バナー4の第1端に挟まれている。ロール3の外壁には、ロール3の長さに沿い伸びているクリップスリット31が設けられ、クリップテープ41がクリップスリット31に差し込まれる。広告バナー4を入れ替える時に、アウタケーシングパイプ1両端のシーリングカバー21、22を開け、ロール3を取り出し、広告バナー4を展開した後、クリップテープ41をクリップスリット31から引き出して、新しい広告バナー4のクリップテープをクリップスリット31に差し込めば、広告バナーを交換できる。従って、操作が簡単である。クリップスリット31は燕尾の形又は、T形などを採用することができ、これに応じて、クリップテープ41は燕尾の形又は、T形などをも採用することもできる。クリップスリット31は、ロール3と広告バナー4が速やかに組み付けられることができれば、ほかの形のスリットを採用することもできる。ご理解いただきたいのは、広告バナー4とロール3の着脱可能な組立ての構造は、クリップテープ41とクリップスリット31の組み付けの形式に限らず、ほかの適切な形式も対応でき。例えば、ロールと広告バナーに相互に係止めできるバックルの構造もでき、スクリューで固定する構造できる。
【００２４】
本実施例において、プラグ5は、ロール3の第1端に固定され、プラグ5に貫通孔51が設けられている。回転軸6は、ロール3の中に位置し、回転軸6の第1端は、貫通孔51を貫通して、第１のシーリングカバー21に固定されている。回転軸6の第2端はロール3の第2端を貫通して、第2シーリングカバー22に固定されている。スプリング7は回転軸6に嵌め込み、スプリング7の第1端はプラグ5に配置され、スプリング7の第2端は回転軸6に設けられている。
【００２５】
具体的には、図3と図4で示すように、本実施例においては、プラグ5は、円柱形の基部50及び基部50から伸びた円錐形のスプリング固定部52から構成される。スプリング7の第1端は、スプリング固定部52に緊密に嵌められている。スプリング7をさらに固定するように、スプリング固定部52に螺旋状のスリットを形成することで、スプリング7の第1端が螺旋状のスリットに嵌められる。ここで、スプリング固定部52は円柱形でもよい。プラグ5の基部50とロール3との嵌め合いは締まりばめで、組み立てが簡単になるように、基部50の外周に滑り止めリブ（53）が設けられることもでき、こうして、組み立てし易く、滑り止めの効果も図られ、プラグ5とロール3の相対的に回転することも防止できる。プラグ5の貫通孔51の直径は、回転軸6の直径より少し大きめにすることが好ましく、又、プラグ5が回転軸6に相対して自由回転でき、二者の隙間が大きすぎることもないことでよい。
【００２６】
本実施例において、スプリング7の第2端と回転軸6を結合しやすくするように、回転軸6の第2端には、回転軸6のラジアルに沿い回転軸6の第2端を亘るスロット61が形成され、スプリング7の第2端には、スプリング7のワイヤーを曲げて形成した湾曲部71が配置され、湾曲部71がスロット61の中に嵌められる。このような巧妙な動的な結合により、スプリング7の第2端がきちんと固定できれ、組み立てとメンテナンスにも便利である。又、スプリング7の第2端は、例えば、溶接などほかの方式で回転軸と接合することもできる。回転軸6を第1シーリングカバー21及び第2シーリングカバーに容易に嵌め合いするように、第1シーリングカバー21と第2シーリングカバー22にそれぞれ、回転軸6の端部に合わせる凹部211、221が設けられても良い。
【００２７】
図2と図4で示すように、本考案の広告バナーロールを組み立てる時に、まず、スプリング7の第１端がプラグ5のスプリング固定部52に固定されて、貫通孔51に回転軸6を挿入し、スプリング7が回転軸6に嵌め込んで、又、スプリング７の第2端の湾曲部71が回転軸6の第2端のスロット61に嵌められ、回転軸6がスプリング7とともに、ロール3の中に収納され、プラグ5がロール3の第１端に塞ぎ、広告バナー4のクリップテープ41がロール3のクリップスリット31に差し込み、広告バナー4がロール3に巻かれる。そして、広告バナー4が巻かれたロール3を回転軸6とともにアウタケーシングパイプ１に入れ込み、広告バナー4の第2端がアウタケーシングパイプ1の開口11から伸び出して、シーリングカバー21、22で塞がれ、シーリングカバー21、22によって回転軸6が固定されたことで、広告バナー4を外へ引き出す時に、ロール3が回転軸6に相対して回転して、プラグ5がロール3に固定され、スプリング7の一端がプラグ5に固定され、他の一端が回転軸6に固定されているため、スプリング7がねじられて、逆方向のトルクが発生し、広告バナー4を緩めると、ロール3はスプリング7のトルク回転により、広告バナー4はロール3に巻き返される。
【００２８】
本考案の広告用バナーロール装置においては、ロール3の中に一本の回転軸6しかないので、従来の広告用バナーロール装置内部の複雑な構成と比べると、本考案の広告バナーロールの構成はさらに簡単になり、組み立てが簡単である上、回転軸とロールとの同軸度が良く、ロール3の回転もさらに安定である。しかも、本考案の広告バナーロールの広告バナーとロール3とは着脱可能に結合されるので、ニーズにより、気楽に広告バナー4を入れ替えられるため、コストを節約できる。
【００２９】
本考案において、上記の広告バナーロールが記載されている他には、広告展示用ラックも記載されている。該広告展示用ラックは、ラック8と、ラック8に設けられている本考案の広告用バナーロール装置を備えている。
【００３０】
図6、図7と図8で示すものは、本考案に関する広告展示用ラックの第1実施例で、横向きの両面移動展示ラックである。該広告展示用ラックは、一本の鉛直バー81と鉛直バー81に嵌め込むクリップ付け固定スリーブ82を備えている。クリップ付け固定スリーブ82にはスクリューホール821が設けられ、該スクリューホール821には固定用ネジ83が設置されている。固定用ネジ83によってクリップ付け固定スリーブ82はバー81に固定され、又、クリップ付け固定スリーブ82は、鉛直バー81に位置する位置を調整できる。クリップ付け固定スクリーブ82の両側には、垂直に置くように、クリップ9がそれぞれ付けけられている。クリップ9は、広告用バナーロール装置のアウタケーシングパイプ1に挟み、二個のクリップ9はそれぞれ広告用バナーロール装置を一つずつ挟み、広告用バナーロール装置の軸線は鉛直バー81の軸線に平行している。このように、二枚の広告用バナーロール装置の広告バナー4を完全に引き出した場合に、両面的に横向き展示ができる。広告バナー4の第2端は、他の鉛直バー84により固定されている。広告用バナーロール装置を挟むためのクリップ9は、対向する挟持部91を二つ有している。該挟持部91は、長手で、断面が円弧形で、アウタケーシングパイプ１をその間に挟んでいる。クリップ9とクリップ付け固定スリーブ82は、ネジによって固定される。あるいは、ほかの適切な方式で固定しても良い。
【００３１】
図9と図10で示すものは、本考案に記載の広告展示用ラックの第2実施例であり、垂直の両面的な広告展示用ラックである。該ラック8は、鉛直バー81を一本備えている。クリップ付け固定スリーブ82は、鉛直バーバー81に固定され、第1実施例の構成と同様で、ここでは説明を省略する。クリップ付け固定スリーブ82の両側には、クリップ9が二個固定されている。第1実施例と異なるのは、該実施例において、二個のクリップ9が水平に置かれ、広告用バナーロール装置は、各クリップ9でそれぞれ一つずつ挟まれる。広告用バナーロール装置の軸線は、鉛直バー81の軸線に垂直している。このように、二つの広告用バナーロール装置の広告バナー4が引き出されると、両面的に垂直で展示できる。広告バナー4の第2端は鉛直バーバー81に固定されている。本実施例に記載のクリップ9の構成は、第1実施例のクリップの構成と同様で、ここで省略する。
【００３２】
図11が示すものは、本考案に記載の広告展示用ラックの第三実施例である。傾斜に広告バナーを展示できる。該広告展示用ラックのラック部分8は、一本の鉛直バー81と、一本の傾斜バー85と、傾斜バー85を鉛直バー81に固定する傾斜バー固定付属部品86を備えている。図12で示すように、傾斜バー固定付属部品86は、一本の鉛直スリーブ861と、一本の傾斜スリーブ862を備え、鉛直スリーブ861と傾斜スリーブ862にプラスチックスあるいは金属を採用してもできる。鉛直スリーブ861の軸線と傾斜スリーブ862の軸線は、所定の角度になる。鉛直スリーブ861の外側に一つの係止め用の係止スロット863が設けられている。傾斜スリーブ862に一枚の結合ピース864が設けられている。結合ピース864の末端に係止スロット863に係止め用の係合部865が設けられている。係合部865は係止スロット863に嵌められている。鉛直スリーブ861は、鉛直バー81に固定されている。傾斜スリーブ862は傾斜バー85に固定されている。傾斜バー85を取り外す場合、傾斜スリーブ862の係合部865を鉛直スリーブ861の係止スロット863から取り出せば良く、着脱に便利である。傾斜スリーブ862と傾斜バー85との固定及び鉛直スリーブ861と鉛直バー81との固定は、固定ネジにより実現できる。具体的には、第1実施例に記載のクリップ付け固定スリーブ82と鉛直バー81との固定方式と同様である。傾斜バー85にはクリップ9が固定され、クリップ9で一つの広告用バナーロール装置が挟まれる。傾斜バー85が傾斜になっているため、広告用バナーロール装置の広告バナー4は傾斜バー85に沿い、展開していくと、広告バナーの傾斜展示が実現できる。広告バナー4の第2端はひも、またはクリップなどで傾斜バー85の下端に固定できる。本実施例に記載のクリップ9の構成は第4実施例のクリップの構成と同様で、説明を省略する。
【００３３】
上述の広告展示用ラックに関する三つの実施例において、鉛直バー81が安定に立てるように、鉛直バーバー81の底部が補強された。上述の広告展示用ラックにおいて、片面の展示を実施するように、クリップ付け固定スリーブ81にクリップ9が一個だけ設けることもできる。両面で展示する場合に、展示用ラックの版面を十分に利用することで、さらに良い展示効果が得られる。
【００３４】
以上、図例によって、本考案に記載の実施形態を説明したが、本考案は、上述した具体的な実施形態のみに限られない。上述した具体的な実施形態は単なる、説明に用いるもので、制限に用いるものではない。当業者は本考案から示唆を得て、本考案の主旨と請求範囲を逸しない範囲で、各種の変形を行うこともでき、これらはすべて、本考案に記載の請求の範囲に属するとされている。
【図１】
0003171328.tif 000003
【図２】
0003171328.tif 000004
【図３】
0003171328.tif 000005
【図４】
0003171328.tif 000006
【図５】
0003171328.tif 000007
【図６】
0003171328.tif 000008
【図７】
0003171328.tif 000009
【図８】
0003171328.tif 000010
【図９】
0003171328.tif 000011
【図１０】
0003171328.tif 000012
【図１１】
0003171328.tif 000013
【図１２】
0003171328.tif 000014
【手続補正書】
【提出日】平成23年8月22日(2011.8.22)
【手続補正１】
【補正対象書類名】実用新案登録請求の範囲
【補正対象項目名】請求項１
【補正方法】変更
【補正の内容】
【請求項１】
長手方向に沿って延伸する開口（11）が設けられ、第１端に着脱可能な第１のシーリングカバー（21）が設けられ、第2端に着脱可能な第2のシーリングカバー（22）が設けられるアウタケーシングパイプ（1）と、
前記アウタケーシングパイプ（1）に収納されるロール（3）と、
前記ロール（3）に巻かれ、第1端が前記ロール（3）に着脱可能に設けられ、第2端が前記開口（11）から引出される広告バナー（4）と、
前記ロール（3）の第１端に固定され、貫通穴（51）が設けられるプラグ（5）と、
前記ロール（3）の内部に位置し、第1端が前記貫通穴（51）から伸出し、前記第1のシーリングカバー（21）に固定され、その第2端が前記ロール（3）から伸出し、前記第2のシーリングカバー（22）に固定される回転軸（6）と、
前記回転軸（6）に嵌め込まれ、第１端が前記プラグ（5）に配置され、第2端が前記回転軸（6）に配置されるスプリング（7）と、
を備えることを特徴とする広告用バナーロール装置。